(57)【要約】【課題】光学部品と光学部品を保持する保持部材とによって閉鎖された空間内のゴミを容易に取り除くことができるカメラを提供する。【解決手段】焦点板５０、液晶表示装置６０、および視野枠７０を一体的に保持する表示装置ユニット２００は、プリズムボックス１１０の下部の格納部１１５に格納されて保持される。前カバー２１をボディ１０から取り外し、メインＦＰＣ１５０のコネクタ端子１５１からＦＰＣ２５０のコネクタ端子２５１を外す。開口１６ａから、ボディ１０に取り付けられているミラー受け１８を取り外し、バネ１２０の係合部１２５とプリズムボックス１１０の係合突起１１８との係合を解除する。表示装置ユニット２００を下方および前方に引き出して、開口１６ａから外部に取り出す。この状態とすることで、ペンタプリズム１０１の下面に付着したゴミなどを、エアを吹きつけるなどして容易に取り除くことができる。【選択図】図４
2007187727.tif 000002
【特許請求の範囲】
【請求項１】
光学ファインダを有するカメラにおいて、
前記光学ファインダの光路上における入射光側に設けられて、前記光学ファインダを取り外すことなく前記光学ファインダへの着脱が可能な焦点板と、
前記光学ファインダの光路上における入射光側に設けられて、前記光学ファインダを取り外すことなく前記光学ファインダへの着脱が可能な透過型表示素子とを備えることを特徴とするカメラ。
【請求項２】
請求項１に記載のカメラにおいて、
少なくとも前記焦点板および前記透過型表示素子を一体的に保持して、前記光学ファインダに対して着脱される保持部材をさらに備えることを特徴とするカメラ。
【請求項３】
請求項２に記載のカメラにおいて、
前記光学ファインダに対して装着された前記保持部材のがたつきを抑えるがた取り手段をさらに備えることを特徴とするカメラ。
【請求項４】
請求項２または請求項３に記載のカメラにおいて、
保持する各部材のがたつきを抑えるがた取り機構をさらに備えることを特徴とするカメラ。
【請求項５】
請求項４に記載のカメラにおいて、
前記透過型表示素子を付勢して保持するバネ部材をさらに備えることを特徴とするカメラ。
【請求項６】
請求項１〜５のいずれか一項に記載のカメラにおいて、
前記透過型表示素子は、電気的に駆動されることにより表示を行うことを特徴とするカメラ。
【請求項７】
光学ファインダを有するカメラから前記光学ファインダを取り外すことなく、前記光学ファインダの光路上における入射光側に設けられた焦点板および透過型表示素子を前記光学ファインダから取り外す焦点板および透過型表示素子の取り外し方法。
【発明の詳細な説明】
【技術分野】
【０００１】
本発明は光学ファインダを有するカメラに関する。
【背景技術】
【０００２】
光学ファインダの光路上のゴミを取り除くために、光学部品と光学部品を保持する保持部材とによって閉鎖された空間内へ、高圧空気を流入させることができる光学機器が知られている（特許文献１参照）。
【０００３】
【特許文献１】特開平１１−１０９４４３号公報
【発明の開示】
【発明が解決しようとする課題】
【０００４】
しかし、従来の光学機器では、光学部品と光学部品を保持する保持部材とによって閉鎖された空間内の隅に付着しているゴミを取り除くことが困難であった。
【課題を解決するための手段】
【０００５】
（１）  請求項１および請求項７の発明は、光学ファインダを有するカメラから光学ファインダを取り外すことなく、光学ファインダの光路上における入射光側に設けられた焦点板および透過型表示素子を光学ファインダから取り外すことを特徴とする。
（２）  請求項２の発明は、請求項１に記載のカメラにおいて、少なくとも焦点板および透過型表示素子を一体的に保持して、光学ファインダに対して着脱される保持部材をさらに備えることを特徴とする。
（３）  請求項３の発明は、請求項２に記載のカメラにおいて、光学ファインダに対して装着された保持部材のがたつきを抑えるがた取り手段をさらに備えることを特徴とする。
（４）  請求項４の発明は、請求項２または請求項３に記載のカメラにおいて、保持する各部材のがたつきを抑えるがた取り機構をさらに備えることを特徴とする。
（５）  請求項５の発明は、請求項４に記載のカメラにおいて、透過型表示素子を付勢して保持するバネ部材をさらに備えることを特徴とする。
（６）  請求項６の発明は、請求項１〜５のいずれか一項に記載のカメラにおいて、透過型表示素子は、電気的に駆動されることにより表示を行うことを特徴とする。
【発明の効果】
【０００６】
（１）  本発明によれば、光学部品と光学部品を保持する保持部材とによって閉鎖された空間内のゴミを容易に取り除くことができる。
（２）  請求項２の発明によるカメラでは、焦点板および透過型表示素子の取り外しおよび取り付け作業に要する時間を短縮化できる。
（３）  請求項３の発明によるカメラでは、保持部材の取り付け作業が容易となる。
（４）  請求項４の発明によるカメラでは、各部材の組み立て性を向上できる。
（５）  請求項５の発明によるカメラでは、透過型表示素子の交換作業が容易となる。
（６）  請求項６の発明によるカメラでは、撮影者が状況に応じて適切な操作を行うことができる。
【発明を実施するための最良の形態】
【０００７】
図１〜１１を参照して、本発明によるカメラの一実施の形態を説明する。なお、本実施の形態では、カメラの前後左右および上下方向を各図に記載したように規定する。図１は、本実施の形態のカメラの正面図であり、図２は、カメラを左側面から見たときの断面図である。カメラ１には、電源スイッチ３１と、レリーズボタン３２と、撮影モードなどを選択するためのモード設定ダイヤル３３とが設けられている。
【０００８】
カメラ１はボディ１０と、ボディ１０に取り付けられた前カバー２１と、上カバー２２と、後カバー２３とを有する。図１では、前カバー２１の外形を太線で示している。ボディ１０の前部には、交換レンズ２が着脱可能に取り付けられるレンズマウント１６が設けられている。ボディ１０の内部には、被写体光束を後述するファインダユニット１００へと導くメインミラー１１が設けられている。メインミラー１１の後方（背面側）にはサブミラー１２が設けられており、サブミラー１２は焦点検出を行う不図示のＡＦセンサへ被写体光束を導く。メインミラー１１およびサブミラー１２は回動可能に設けられており、レリーズ動作時には撮影光路から退避する。１８はミラー受けである。
【０００９】
メインミラー１１の背面側撮影光路上には、シャッタ１３、光学フィルタ１４および撮像素子１５が前方から順に設けられている。シャッタ１３は、撮像素子１５を遮光する閉状態と、撮像素子１５に被写体像を導く開状態との間で開閉動作を行う一組の遮光羽根を有する機構である。光学フィルタ１４は、赤外光をカットする赤外カットフィルタとしての機能と、モアレを防止するローパスフィルタとしての機能を兼ね備えたフィルタである。撮像素子１５は、たとえばＣＣＤなどのように、被写体光による像を撮像して撮像信号を出力する素子である。
【００１０】
ボディ１０の上部にはファインダユニット１００が取り付けられている。ファインダユニット１００には、入射光軸ＡＸに沿って、被写体側から順に、メインミラー１１からの像が結像する焦点板５０と、液晶表示装置６０と、ファインダ視野の大きさを決定する視野枠７０と、ペンタプリズム１０１と、接眼レンズ１０２とが設けられている。これらファインダ光学系を構成する各要素５０，６０，７０，１０１，１０２は、プリズムボックス１１０に取り付けられている。ファインダユニット１００は、プリズムボックス１１０がボディ１０の上部に取り付けられると、焦点板５０が撮像素子１５と光学的に共役な位置に配設されるように構成されている。
【００１１】
液晶表示装置６０は透過型の表示装置であり、焦点板５０で結像された被写体像を透過させるとともに、図３に示した十字形状の格子線６１、測距ポイントを示すフォーカスエリア表示６２、測光範囲を示す測光エリア表示６３を半透明状態で表示させる。表示装置６０は電気的に駆動される表示装置であり、フレキシブルプリント基板（以下ＦＰＣと呼ぶ）２５０を介して、不図示の表示制御装置に接続されている。
【００１２】
焦点板５０、液晶表示装置６０、および視野枠７０は、後述するように表示装置ユニット２００として一体的に構成されており、プリズムボックス１１０に対して、ペンタプリズム１０１の下部で着脱可能に取り付けられている。
【００１３】
このように構成されるカメラ１では、電源スイッチ３１がオンされて、レリーズボタン３２が押圧されると、モード設定ダイヤル３３の設定に応じた撮影モードで、被写体像が交換レンズ２を介して撮像素子１５で撮像される。撮像素子１５から出力された撮像信号は、不図示の画像処理回路で公知の画像処理が施され、画像データとして不図示の記憶手段に記録される。
【００１４】
交換レンズ２は、カメラ１のレンズマウント１６に対して容易に着脱可能である。レンズマウント１６から交換レンズ２を取り外すと、レンズマウント１６の開口１６ａが露出した状態となり、メインミラー１１や表示装置ユニット２００などへのアプローチが可能となる。また、後述するように、表示装置ユニット２００は、ファインダユニット１００をカメラ１から取り外すことなく、ファインダユニット１００から取り外して、開口１６ａから取り出すことができる。
【００１５】
−−−ファインダユニット１００−−−
図４は、ファインダユニット１００の斜視図である。プリズムボックス１１０の上部にはプリズム１０１が搭載されている。プリズム１０１の前部から左右のダハ面にかけてメインフレキシブルプリント基板（以下メインＦＰＣと呼ぶ）１５０が配設されている。メインＦＰＣ１５０には、各種信号を処理する不図示のＣＰＵや、表示装置６０を駆動する不図示の表示制御装置などが実装されている。メインＦＰＣ１５０の前部にはコネクタ端子１５１が設けられており、ＦＰＣ２５０に設けられたコネクタ端子２５１と接続される。
【００１６】
プリズムボックス１１０の下部には、表示装置ユニット２００が格納される格納部１１５と、格納部１１５に格納される表示装置ユニット２００をバネ付勢するバネ１２０とが設けられている。表示装置ユニット２００は、格納部１１５の下部から挿入されて格納される。
【００１７】
バネ１２０は、後方端がプリズムボックス１１０の下部後方の側面で回動可能に支持されており、前方端部が上下方向に回動可能である。バネ１２０の前方端部には、穴が開いた係合部１２５が設けられており、プリズムボックス１１０の下部前方に突設された係合突起１１８と係合可能である。表示装置ユニット２００は、格納部１１５に格納されて、バネ１２０の係合部１２５とプリズムボックス１１０の係合突起１１８とが係合されると、バネ１２０の付勢力によって上方に付勢された状態で格納部１１５に保持される。なお、ファインダユニット１００がカメラに取り付けられた状態で、開口１６ａからバネ１２０の係合部１２５とプリズムボックス１１０の係合突起１１８とを係合、および、係合を解除できる。
【００１８】
−−−表示装置ユニット２００−−−
図５，６は、表示装置ユニット２００の斜視図であり、図７は表示装置ユニット２００の展開図である。上述のように表示装置ユニット２００には、焦点板５０と、液晶表示装置６０と、視野枠７０と、ＦＰＣ２５０とが設けられている。表示装置ユニット２００は、焦点板５０、液晶表示装置６０、および視野枠７０を一体的に保持するために、ホルダ２１０と、位置決めモールド２２０と、圧接ゴム２３０と、圧接クリップ２４０と、板バネ２６０と、押さえバネ２７０とを有する。
【００１９】
ホルダ２１０は、焦点板５０、液晶表示装置６０、および視野枠７０を一体的に保持する保持部材であり、中央開口２１１と、焦点板保持部２１２と、位置規制部２１３〜２１５と、係合突起２１６とを有する。中央開口２１１は、焦点板５０で結蔵したメインミラー１１からの像をホルダ２１０の下側から上側へ導くための開口である。焦点板保持部２１２は、焦点板５０がホルダ２１０の下側から挿入されて嵌合するように設けられた凹部であり、ホルダ２１０の下面に設けられている。焦点板保持部２１２を下側から見たときの凹部の形状は、焦点板５０の外周部分の形状と略等しい。
【００２０】
位置規制部２１３〜２１５は、ホルダ２１０の上面の周縁近傍で上方に向かって突設された凸部であり、後述するようにホルダ２１０の上面に載置された液晶表示装置６０および視野枠７０の前後左右方向への移動を規制する。係合突起２１６は、ホルダ２１０の左右側面の前方で左右方向外側に向かって突出する突起である。
【００２１】
位置決めモールド２２０は、後述する圧接ゴム２３０を保持するとともに液晶表示装置６０に対するＦＰＣ２５０の位置を規定する部材である。位置決めモールド２２０は、上下面を貫通する略直方体形状の貫通口２２１と、上面の左右端部近傍で上方に向かって突設された凸部２２２と、左右側面で左右方向外側に突出した突出部２２３とを有する。
【００２２】
圧接ゴム２３０は、液晶表示装置６０の電気接点（図７における符号６５）とＦＰＣ２５０の電気接点（図７における符号２５２）とを電気的に接続するための部材である。圧接ゴム２３０は、導電性の薄板と絶縁性の薄板とが左右方向に向かって交互に積層された構造を有している。そのため、圧接ゴム２３０の上下方向に電気信号を流すことができるが、左右方向に電気信号を流すことはできない。したがって、電気接点６５の隣り合った各接点同士、および、電気接点２５２の隣り合った各接点同士は、電気的に接触しない。
【００２３】
圧接クリップ２４０は、液晶表示装置６０の電気接点６５と、ＦＰＣ２５０の電気接点２５２とを圧接ゴム２３０に圧接するためのバネ部材である。
【００２４】
板バネ２６０は、液晶表示装置６０および視野枠７０を下方に付勢してホルダ２１０に固定するバネ部材である。図８に示すように、板バネ２６０は、腕部２６１と、穴２６２と、左側折り曲げ部２６３と、右側折り曲げ部２６４と、前方折り曲げ部２６５と、係合部２６６と、湾曲部２６７，２６８とを有する。
【００２５】
押さえバネ２７０は、前方端がホルダ２１０の下部前方で回動可能に支持されており、後方端部が上下方向に回動可能である。押さえバネ２７０の後方端部は、ホルダ２１０の下面に設けられた不図示の係合部と係合可能である。
【００２６】
−−−焦点板５０、液晶表示装置６０、視野枠７０の取り付け−−−
焦点板５０、液晶表示装置６０、および視野枠７０は、次のようにしてホルダ２１０に取り付けられる。焦点板５０は、焦点板保持部２１２に挿入されて、押さえバネ２７０の後方端部がホルダ２１０の下面に設けられた不図示の係合部と係合されると、押さえバネ２７０の付勢力によって上方に付勢された状態で焦点板保持部２１２に保持される。焦点板５０の前後左右方向への移動は、焦点板５０の前後左右の端面が焦点板保持部２１２の内周面に当接することで規制される。
【００２７】
なお、焦点板５０がスムーズに着脱できるように、焦点板保持部２１２を下側から見たときの凹部の前後方向および左右方向の寸法は、焦点板５０の前後方向および左右方向の寸法よりもわずかに大きい。すなわち、焦点板５０が焦点板保持部２１２に挿入された状態で「がた」が生じるが、焦点板５０を前後方向のいずれか一方へおよび左右方向のいずれか一方へ寄せた後、押さえバネ２７０の付勢力によってホルダ２１０に押さえつけることで、焦点板５０のがたつきを抑えている。なお、焦点板５０を押さえバネ２７０でホルダ２１０に押さえつけた後に、焦点板５０を前後方向のいずれか一方へおよび左右方向のいずれか一方へ寄せてもよい。
【００２８】
液晶表示装置６０は、電気接点６５とＦＰＣ２５０の電気接点２５２とが電気的に接続されるようにＦＰＣ２５０が取り付けられた状態で、ホルダ２１０に保持される。ＦＰＣ２５０は、次のようにして液晶表示装置６０に取り付けられる。図９に示すように、貫通口２２１に圧接ゴム２３０が挿入された位置決めモールド２２０を液晶表示装置６０の電気接点６５が設けられた部分の上に配設する。
【００２９】
このとき、液晶表示装置６０の上面と電気接点６５が設けられた面との段差部分６６に位置決めモールド２２０の前面が当接することで、液晶表示装置６０に対する位置決めモールド２２０の前方への移動が規制される。また、図１０に示すように、位置決めモールド２２０には、突出部２２３の左右下端部で下方に突出した突起部２２３ａが設けられている。左右の突起部２２３ａがそれぞれ液晶表示装置６０の左右側面と対向することで、液晶表示装置６０に対する位置決めモールド２２０の左右方向への移動が規制される。
【００３０】
図７に示したＦＰＣの穴２５３に位置決めモールド２２０の凸部２２２が挿入されるように、ＦＰＣ２５０を位置決めモールド２２０の上に配設する（図９）。これにより、位置決めモールド２２０に対するＦＰＣ２５０の前後左右方向の配設位置が規定される。
【００３１】
上述のように、各部材６０，２２０，２３０，２５０を配設した後、これらを圧接クリップ２４０で挟み込むことによって、電気接点６５と電気接点２５２とが電気的に接続された状態で、液晶表示装置６０とＦＰＣ２５０とが一体化される。
【００３２】
上述のように一体化された液晶表示装置６０およびＦＰＣ２５０をホルダ２１０の上面に配設する。このとき、液晶表示装置６０は、前面が位置規制部２１３の内面２１３ａに対向し、側面が位置規制部２１３，２１４の内面２１３ｂ，２１４ｂに対向する。位置決めモールド２２０は、突出部２２３の前面２２６が位置規制部２１４の後面２１４ａに対向し、突出部２２３の後面２２５が位置規制部２１５の前面２１５ａに対向する。位置決めモールド２２０は、突出部２２３の前方に位置する側面２２７が位置規制部２１４の内面２１４ｂに対向し、突出部２２３の後方に位置する側面２２４が位置規制部２１５の内面２１５ｂに対向する。これにより、液晶表示装置６０および位置決めモールド２２０の前後左右方向への移動が規制される。
【００３３】
視野枠７０は前方の端面が位置規制部２１３の内面２１３ａに対向し、側方の端面が位置規制部２１３，２１４の内面２１３ｂ，２１４ｂに対向する。視野枠７０の側方端面から左右外側に突出する突出部７１は、位置規制部２１４の前面２１４ｃに対向する。これにより、視野枠７０の前後左右方向への移動が規制される。
【００３４】
液晶表示装置６０の上に視野枠７０を配設した後、板バネ２６０を上方からホルダ２１０に取り付ける。板バネ２６０がホルダ２１０に取り付けられると、穴２６２に位置決めモールド２２０の凸部２２２が挿入され、板バネ２６０の係合部２６６が係合突起２１６と係合する。この状態では、腕部２６１の先端部分２６１ａが視野枠７０の上面と当接して撓む。すなわち、腕部２６１の弾性力によって視野枠７０および液晶表示装置６０が下方に付勢される。
【００３５】
なお、上述した液晶表示装置６０，位置決めモールド２２０，および視野枠７０が各位置規制部２１３〜２１５と対向する部分は、寸法公差によって「がた」が生じるが、各部材６０，２２０，７０を前後方向のいずれか一方へおよび左右方向のいずれか一方へ寄せた後、板バネ２６０の付勢力によってホルダ２１０に押さえつけることで、各部材６０，２２０，７０のがたつきを抑えている。なお、各部材６０，２２０，７０を板バネ２６０でホルダ２１０に押さえつけた後に、各部材６０，２２０，７０を前後方向のいずれか一方へおよび左右方向のいずれか一方へ寄せてもよい。
【００３６】
図１１は、プリズムボックス１１０の下方から格納部１１５を見たときの模式図である。焦点板５０、液晶表示装置６０、および視野枠７０を一体的に保持した表示装置ユニット２００が格納部１１５の下部から挿入されると、右側折り曲げ部２６４に設けられた湾曲部２６７が格納部１１５の右側内面に当接してホルダ２１０を左側に付勢する。また、前方折り曲げ部２６５に設けられた湾曲部２６８が格納部１１５の前側内面に当接してホルダ２１０を後側に付勢する。これにより、ホルダ２１０の左側側面が格納部１１５の左側内面に当接し、ホルダ２１０の後側側面が格納部１１５の後側内面に当接するので、プリズムボックス１１０に対する表示装置ユニット２００のがたつきが抑制される。
【００３７】
このように構成されたカメラ１では、カメラ１の組み立て後に、ファインダユニット１００をボディ１０から取り外すことなく、次のようにして表示装置ユニット２００だけをファインダユニット１００から取り外して、開口１６ａから取り出すことができる。カメラ１に交換レンズ２が取り付けられている場合には、最初に交換レンズ２をレンズマウント１６から取り外す。
【００３８】
カメラ正面で前カバー２１をボディ１０に固定しているビスを外して、前カバー２１をボディ１０から取り外す。前カバー２１が外れると、メインＦＰＣ１５０のコネクタ端子１５１が露出するので、接続されているＦＰＣ２５０のコネクタ端子２５１を外す（図１，２）。
【００３９】
開口１６ａから、ボディ１０に取り付けられているミラー受け１８を取り外す。次いで、開口１６ａから、ピンセットなどを用いてバネ１２０の係合部１２５とプリズムボックス１１０の係合突起１１８との係合を解除する。これにより、バネ１２０が下方に回動するので、格納部１１５に格納された表示装置ユニット２００を下方および前方に引き出して、開口１６ａから外部に取り出すことができる。表示装置ユニット２００を取り外した後のファインダユニット１００は、ペンタプリズム１０１の下面が露出した状態となる。
【００４０】
この状態とすることで、ペンタプリズム１０１の下面に付着したゴミなどを、たとえばエアを吹きつけるなど、開口１６ａからのアプローチによって容易に取り除くことができる。また、表示装置ユニット２００がカメラ１から取り外されているので、表示装置ユニット２００に付着したゴミも、容易に取り除くことができる。必要であれば、表示装置ユニット２００を分解して清掃することもできる。
【００４１】
なお、上述した取り外しの手順とは逆の手順によって、表示装置ユニット２００をファインダユニット１００へ取り付けることができる。
【００４２】
上述したカメラ１では、次の作用効果を奏する。
（１）  ファインダユニット１００をカメラ１から取り外すことなく、焦点板５０および液晶表示装置６０をファインダユニット１００から取り外すことができるように構成した。これにより、ファインダ光学系の入射光側の光路上のゴミを容易に取り除くことができる。
【００４３】
（２）  焦点板５０および液晶表示装置６０を表示装置ユニット２００に一体的に保持し、ファインダユニット１００をカメラ１から取り外すことなく、表示装置ユニット２００をファインダユニット１００から取り外すことができるように構成した。これにより、ファインダユニット１００からの焦点板５０および液晶表示装置６０の取り外しおよび取り付けが容易となり、取り外しおよび取り付け作業に要する時間を短縮化できる。
【００４４】
（３）  表示装置ユニット２００が格納部１１５の下部から挿入されると、右側折り曲げ部２６４の湾曲部２６７が格納部１１５の右側内面に当接してホルダ２１０を左側に付勢する。また、前方折り曲げ部２６５の湾曲部２６８が格納部１１５の前側内面に当接してホルダ２１０を後側に付勢する。これにより、プリズムボックス１１０に対する表示装置ユニット２００のがたつきを容易に抑制できる。したがって、焦点板５０、液晶表示装置６０および視野枠７０の「がた」による位置ずれや回転を防止できるので、表示装置ユニット２００のファインダユニット１００への取り付け時に表示装置ユニット２００の位置調整などを行う必要がなく、取り付け作業が容易となる。
【００４５】
（４）  各部材５０，６０，２２０，７０をホルダ２１０に取り付ける際に、各部材５０，６０，２２０，７０を前後方向のいずれか一方へおよび左右方向のいずれか一方へ寄せた後、バネ２６０，２７０の付勢力によってホルダ２１０に押さえつけるように構成した。これにより、簡単な構成で各部材５０，６０，２２０，７０のがたつきを容易に抑えることができ、焦点板５０、液晶表示装置６０および視野枠７０の「がた」による位置ずれや回転を防止できるので、表示装置ユニット２００の製造コストを抑制できるとともに、組み立て性を向上できる。
【００４６】
（５）  液晶表示装置６０を板バネ２６０でホルダ２１０に押圧して取り付けるように構成した。これにより、液晶表示装置６０の故障時の交換や、より高機能の液晶表示装置６０への交換など、液晶表示装置６０の交換作業が容易となる。
【００４７】
（６）  電気的に駆動される液晶表示装置６０を用いているので、撮像に必要な様々な情報を被写体像とともに観察でき、撮影者は状況に応じて適切な操作を行うことができる。
【００４８】
−−−変形例−−−
（１）  上述の説明では、表示装置ユニット２００をファインダユニット１００から取り外す際に、前カバー２１をボディ１０から取り外し、ＦＰＣ２５０のコネクタ端子２５１をメインＦＰＣ１５０のコネクタ端子１５１から外しているが、本発明はこれに限定されない。たとえば、ＦＰＣ２５０の長さを長めにし、コネクタ端子２５１をメインＦＰＣ１５０のコネクタ端子１５１から外さなくても、ＦＰＣ２５０の長さの分だけ表示装置ユニット２００を引き出すことができるようにしてもよい。これにより、表示装置ユニット２００をカメラ１の外に取り出さなくても、ペンタプリズム１０１の下面と表示装置ユニット２００との間にゴミ取りのためのスペースを確保することができる。したがって、前カバー２１およびコネクタ端子２５１を外す必要がなく、ファインダ光学系の入射光側の光路上のゴミをより簡単に取り除くことができる。
【００４９】
（２）  上述の説明では、表示装置ユニット２００が格納部１１５の下部から挿入されると、右側折り曲げ部２６４の湾曲部２６７が格納部１１５の右側内面に当接してホルダ２１０を左側に付勢するように構成されている。また、前方折り曲げ部２６５の湾曲部２６８が格納部１１５の前側内面に当接してホルダ２１０を後側に付勢するように構成されている。しかし、本発明はこれに限定されない。たとえば、格納部１１５の左右いずれかの内周面、および前後いずれかの内周面に、対向する反対側の面へ向かって表示装置ユニット２００を付勢する付勢部材を設けて、プリズムボックス１１０に対する表示装置ユニット２００のがたつきを抑制するように構成してもよい。
（３）上述した各実施の形態および変形例は、それぞれ組み合わせてもよい。
【００５０】
なお、本発明は、上述した実施の形態のものに何ら限定されず、光学ファインダを有するカメラから光学ファインダを取り外すことなく、光学ファインダの光路上における入射光側に設けられた焦点板および透過型表示素子を光学ファインダから取り外すことができる各種構造のものを含むものである。
【図面の簡単な説明】
【００５１】
【図１】カメラの正面図である。
【図２】カメラを左側面から見たときの断面図である。
【図３】液晶表示装置６０の表示形態の例を示す図である。
【図４】ファインダユニット１００の斜視図である。
【図５】表示装置ユニット２００の斜視図である。
【図６】表示装置ユニット２００の斜視図である。
【図７】表示装置ユニット２００の展開図である。
【図８】板バネ２６０の斜視図である。
【図９】液晶表示装置６０とＦＰＣ２５０との取り付け状態を説明する断面図である。
【図１０】液晶表示装置６０に対する位置決めモールド２２０の左右方向への移動の規制について説明する図である。
【図１１】プリズムボックス１１０の下方から格納部１１５を見たときの模式図である。
【符号の説明】
【００５２】
１  カメラ                                ２  交換レンズ
５０  焦点板                              ６０  液晶表示装置
７０  視野枠                              １００  ファインダユニット
１０１  ペンタプリズム                    １２０  バネ
２００  表示装置ユニット                  ２１０  ホルダ
２６０  板バネ２６０                      ２６７，２６８  湾曲部
【図１】
2007187727.tif 000003
【図２】
2007187727.tif 000004
【図３】
2007187727.tif 000005
【図４】
2007187727.tif 000006
【図５】
2007187727.tif 000007
【図６】
2007187727.tif 000008
【図７】
2007187727.tif 000009
【図８】
2007187727.tif 000010
【図９】
2007187727.tif 000011
【図１０】
2007187727.tif 000012
【図１１】
2007187727.tif 000013